(57)【要約】【課題】折り畳まれた座部材が自重により使用状態まで回動するのを防止するとともに、座部材を安全に使用状態とすることができるようにした折り畳み椅子を提供する。【解決手段】前脚２と後脚３と座部材４とを備える折り畳み椅子１において、前脚２は、後脚３を収容可能な後脚収容部５を有する枠状に形成され、後脚３には、座部材４を収容可能な座部材収容部１４が形成され、後脚３の上端は後脚収容部５の上部の下面に前後方向に回動可能に枢着され、座部材４は、上端を支点として垂下し、この垂下状態から使用状態まで前上方に回動しうるように上端が座部材収容部１４の上部の下面に枢着され、後脚収容部１４の内側面における上下方向の中間部には、座部材４の両側部を支持して使用状態に保持する１対の内向支持部９が設けられている。【選択図】  図１
2020168131.tif 000002
【特許請求の範囲】
【請求項１】
前脚と後脚と座部材とを備え、前記座部材がほぼ水平をなすとともに、前記前脚及び後脚が側面視逆Ｖ字状に開脚する使用状態と、前記前脚、前記後脚及び前記座部材が平板状に折り畳まれる折り畳み状態とに変更可能な折り畳み椅子において、
前記前脚は、前記折り畳み状態の前記後脚を収容可能な後脚収容部を有する枠状に形成され、
前記後脚には、前記折り畳み状態の前記座部材を収容可能な座部材収容部が形成され、
前記後脚は、前記後脚収容部に前後方向に回動可能に枢着され、
前記座部材は、前記折り畳み状態においては上方側を支点として垂下し、この垂下状態から前記使用状態まで回動しうるように前記座部材収容部に枢着され、
前記後脚収容部の左右の内側面には、前記座部材の両側部を支持して座部材を使用状態に保持する１対の内向支持部が設けられていることを特徴とする折り畳み椅子。
【請求項２】
前記折り畳み状態での前記座部材を、下部側の左右幅が上部側の左右幅よりも大となる形状としたことを特徴とする請求項１に記載の折り畳み椅子。
【請求項３】
前記座部材の左右両側部には、左右外側方に延出し、折り畳み状態において後面が前記前脚及び後脚の前面と当接する延出部が設けられていることを特徴とする請求項１または２に記載の折り畳み椅子。
【請求項４】
前記座部材はベース座板と前記ベース座板よりも幅広のクッション材を備え、該クッション材の左右両側部に前記延出部が形成されていることを特徴とする請求項３に記載の折り畳み椅子。
【請求項５】
前記延出部と前記前脚及び後脚との対向面にはマグネットキャッチが設けられていることを特徴とする請求項３または４に記載の折り畳み椅子。
【請求項６】
前記内向支持部には、座部材の使用状態において該座部材の後部側の左右両側部に形成された嵌合部が前方より嵌合される保持溝が形成されていることを特徴とする請求項１ないし５のいずれかに記載の折り畳み椅子。
【請求項７】
前記保持溝は、前記前脚を折り畳んだ状態では斜め後ろ上方に向かって傾斜し、使用状態に開脚したときは水平となるように形成されていることを特徴とする請求項６に記載の折り畳み椅子。
【請求項８】
前記座部材の後部側の左右両側部には、前記嵌合部を前記保持溝に嵌合したとき前記内向支持部の前面に当接して前記座部材の後方移動を規制する段差部が形成されていることを特徴とする請求項６または７に記載の折り畳み椅子。
【請求項９】
前記後脚は上端が前記後脚収容部に枢着され、
前記座部材は、前記折り畳み状態から前記使用状態まで前上方に回動しうるように前記座部材収容部に枢着されていることを特徴とする請求項１ないし８のいずれかに記載の折り畳み椅子。
【発明の詳細な説明】
【技術分野】
【０００１】
本発明は、一枚の平板状にコンパクトに折り畳むことができる折り畳み椅子に関する。
【背景技術】
【０００２】
従来、例えば特許文献１には、前脚となる四角形をなす椅子本体枠内の中間部に、座板の下部側を蝶番により上下方向に回動可能に支持するとともに、椅子本体枠内の上端部に、後脚となる支持脚の上端を蝶番により前後方向に回動可能に枢着し、各部材を蝶番を中心として折り畳んだ際に、前後面がフラット面をなす平板状に折り畳まれるようにした折り畳み椅子が開示されている。
【０００３】
この従来の折り畳み椅子においては、蝶番を中心として座板を前方に若干傾けるのみで、座板の自重により使用状態まで回動しうるようになっている。
【先行技術文献】
【特許文献】
【０００４】
【特許文献１】特開２００６−３４６４００号公報(段落００１１、図１、図２)
【発明の概要】
【発明が解決しようとする課題】
【０００５】
上記特許文献１に記載されている折り畳み椅子は、座板の下部側が蝶番により支持され、しかも座板の自重により使用状態まで回動しうるように、座板の上部の重量を下部よりも重くしてあるので、折り畳まれた状態の座板の重心は蝶番よりも上方となる。そのため、座板を前方の使用位置まで傾ける際に不用意に手を離したりすると、自重により座板が勢いよく前下方に回動してしまい、他物に当たったり思わぬ怪我をしたりするおそれがある。
【０００６】
また、座板及び前後の脚を折り畳んだ状態で椅子を壁面等に立て掛けて保管する際に、座板が自重により使用状態まで回動してしまうおそれもある。さらに、座板の後部に設けた係止部を支持脚に設けた係止溝で受けることにより、座板を使用状態に保持するようになっているので、使用状態において座板に上向きの力が加わると、座板が跳ね上がるおそれがある。
【０００７】
本発明は、上記問題点に鑑みてなされたもので、折り畳まれた座部材が自重により使用状態まで回動するのを防止するとともに、座部材を安全に使用状態とすることができるようにした折り畳み椅子を提供することを目的としている。
【課題を解決するための手段】
【０００８】
上記課題を解決するために、本発明の折り畳み椅子は、
前脚と後脚と座部材とを備え、前記座部材がほぼ水平をなすとともに、前記前脚及び後脚が側面視逆Ｖ字状に開脚する使用状態と、前記前脚、前記後脚及び前記座部材が平板状に折り畳まれる折り畳み状態とに変更可能な折り畳み椅子において、前記前脚は、前記折り畳み状態の前記後脚を収容可能な後脚収容部を有する枠状に形成され、前記後脚には、前記折り畳み状態の前記座部材を収容可能な座部材収容部が形成され、前記後脚は、前記後脚収容部に前後方向に回動可能に枢着され、前記座部材は、前記折り畳み状態においては上方側を支点として垂下し、この垂下状態から前記使用状態まで回動しうるように前記座部材収容部に枢着され、前記後脚収容部の左右の内側面には、前記座部材の両側部を支持して座部材を使用状態に保持する１対の内向支持部が設けられていることを特徴としている。
この特徴によれば座部材は、折り畳み状態において垂下するように座部材収容部に枢着されているので、座部材を折り畳み、椅子を立て掛けて保管する際に、座部材が自重により使用状態まで回動することが抑えられる。また、座部材を垂下した折り畳み状態から回動させ、座部材の両側部を前脚の左右の内側面により支持して使用状態とするので、安全に使用状態とすることができる。
【０００９】
前記折り畳み状態での前記座部材を、下部側の左右幅が上部側の左右幅よりも大となる形状としたことを特徴としている。
この特徴によれば、座部材の下部側の重量が上部側の重量よりも大となり、折り畳み状態での座部材の重心位置が枢着部よりもさらに下方寄りとなるため、座部材が前後方向へ回動するのが抑えられる。
【００１０】
前記座部材の左右両側部には、左右外側方に延出し、折り畳み状態において後面が前記前脚及び後脚の前面と当接する延出部が設けられていることを特徴としている。
この特徴によれば、延出部の後面が前脚及び後脚の前面に当接するので、折り畳み状態での座部材の後方への回動及び前脚及び後脚の前方への回動が確実に防止される。また、左右の延出部によって座部材の下部側の重量が上部側の重量よりもさらに大となるため、折り畳み状態において座部材が前方に回動するのが抑えられる。
【００１１】
前記座部材はベース座板と前記ベース座板よりも幅広のクッション材を備え、該クッション材の左右両側部に前記延出部が形成されていることを特徴としている。
この特徴によれば、幅広のクッション材により座部材の表面の面積が大となるため、快適に着座することができる。また、クッション材によって折り畳み状態での座部材の重心位置が枢着部よりも前方となるとともに、座部材の重量がさらに大となるので、折り畳み状態において延出部の後面が前脚及び後脚の前面に常に当接するようになり、座部材が前方へ回動するのを効果的に抑えることができる。
【００１２】
前記延出部と前記前脚及び後脚との対向面にはマグネットキャッチが設けられていることを特徴としている。
この特徴によれば、部材、前脚及び後脚を折り畳み状態に確実に保持することができる。
【００１３】
前記内向支持部には、座部材の使用状態において該座部材の後部側の左右両側部に形成された嵌合部が前方より嵌合される保持溝が形成されていることを特徴としている。
この特徴によれば、使用状態において座部材が跳ね上がるのを防止することができる。
【００１４】
前記保持溝は、前記前脚を折り畳んだ状態では斜め後ろ上方に向かって傾斜し、使用状態に開脚したときは水平となるように形成されていることを特徴としている。
この特徴によれば、座部材と保持溝との角度を調整することなく、前脚を使用状態に開脚するのと同時に座部材の後部側の両側部を保持溝にスムーズに嵌合させることができるとともに、座部材を自動的に水平の使用状態に保持することができる。
【００１５】
前記座部材の後部側の左右両側部には、前記嵌合部を前記保持溝に嵌合したとき前記内向支持部の前面に当接して前記座部材の後方移動を規制する段差部が形成されていることを特徴としている。
この特徴によれば、座部材が最適な使用状態に保持されるとともに、前脚及び後脚が必要以上に開脚するのを防止することができる。
【００１６】
前記後脚は上端が前記後脚収容部に枢着され、前記座部材は、前記折り畳み状態から前記使用状態まで前上方に回動しうるように前記座部材収容部に枢着されていることを特徴としている。
この特徴によれば座部材は、折り畳み状態において垂下するように座部材収容部に枢着されているので、垂下状態での座部材の重心は枢着部よりも下方寄りとなる。従って、座部材を折り畳み、椅子を立て掛けて保管する際に、座部材が自重により使用状態まで回動するおそれはなく、かつ折り畳み状態において上端を支点として前後方向に回動するのも抑えられる。また、座部材を垂下した折り畳み状態から前上方に回動させ、座部材の両側部を前脚の左右の内側面の内向支持部により支持して使用状態とするので、安全に使用状態とすることができる。
【図面の簡単な説明】
【００１７】
【図１】本発明の実施例１に係る折り畳み椅子を折り畳んだ状態の正面図である。
【図２】同じく右側面図である。
【図３】同じく使用状態の右側面図である。
【図４】同じく使用状態の前方斜視図である。
【図５】同じく折り畳んだ椅子をハンガーラックにより吊支した状態の斜視  図である。
【図６】図１のVI−VI線に沿う縦断側面図である。
【図７】使用状態における縦断側面図である。
【図８】図１のVIII−VIII線に沿う横断平面図である。
【図９】図１のIX−IX線に沿う拡大縦断面図である。
【図１０】図９の状態から前脚を使用状態に開脚したときの拡大縦断面図である。
【図１１】本発明の実施例２に係る折り畳み椅子を折り畳んだ状態の正面図である。
【図１２】図１１のXII−XII線に沿う横断平面図である。
【発明を実施するための形態】
【００１８】
本発明の実施形態を、実施例及び図面に基づいて以下に説明する。
【実施例１】
【００１９】
図１ないし図１０は、実施例１に係る折り畳み椅子を示すもので、この折り畳み椅子１は、一枚の平板状に折り畳み可能な前脚２と後脚３と座部材４とを備えている。前脚２は、例えば所要厚さの木材や合成樹脂等により正面視縦長の枠状に形成され、内部には、後脚３を折り畳んで収容可能な後脚収容部５が形成されている。前脚２の上面には、正面視倒立Ｌ字状をなす吊支用フック６が一体的に連設され、図５に示すように、前脚２、後脚３及び座部材４を折り畳んだ状態で吊支用フック６をハンガーラック７の水平ポール８に引っ掛けることにより、複数の折り畳み椅子１を吊支した状態で保管しうるようになっている。なお、吊支用フック６を省略して折り畳み椅子１を壁面等に立て掛けて保管することもできる。
【００２０】
前脚２の上下中央部よりも若干上方において後脚収容部５の左右の内側面には、座部材４をほぼ水平の使用状態に保持するための１対の内向支持部９、９が一体的に内側に延びるように突設されている。この内向支持部９、９には、座部材４の後部側の左右両側部に形成された後述する嵌合部１５ｂ、１５ｂが嵌合可能な前後方向及び内方に開口する保持溝１０、１０が形成されている。図９に示すように、保持溝１０、１０は、前脚２が垂直に折り畳まれた状態では斜め後ろ上方に向かって傾斜し、使用状態まで前方に開脚したときは、図１０に示すように水平となり、座部材４を使用状態において略水平状状態で保持しうるようになっている。
【００２１】
後脚３は、前脚２と同じ厚さの木材や合成樹脂等により形成され、その正面の外郭形状は、後脚収容部５の正面形状とほぼ同じ形状に形成されている。図６及び図７に示すように、後脚３の上端は、後脚収容部５の上部の下面に蝶番１１によって枢着され、後脚収容部５内に収容される折り畳み状態から後方に開脚する使用状態まで、蝶番１１を支点として前後方向に回動しうるようになっている。
【００２２】
図１に示すように、内向支持部９、９よりも上方において後脚収容部５内に収容される後脚３の上部側には、軽量化を図るとともに、持ち運ぶ際の手掛け用としても使用可能な長方形の開口部１２が設けられている。また、後脚３の上部側の左右幅は、後脚収容部５の上部の対向面間の寸法よりも若干小とされ、後脚３の上部側の両側面と後脚収容部５の上部側の内側面との間には、隙間１３、１３が形成されており、折り畳み時に指挟みを防止するようになっている。
【００２３】
内向支持部９付近よりも下方の後脚３には、座部材４の後述するベース座板１５を収容可能な座部材収容部１４が形成されている。座部材収容部１４の下部側の開口面積は上部側の開口面積よりも大とされている。
【００２４】
図１、図６及び図７に示すように、座部材４の正面形状は、座部材収容部１４の正面形状とほぼ同形をなすとともに、下部側の左右幅(面積)が上部側よりも大きい幅広部１５ａとされた木製または合成樹脂製のベース座板１５と、このベース座板１５の幅広部１５ａの表面(前面)に取り付けられた、下面に硬質の基板１６ａを有する幅広のクッション材１６とからなっている。ベース座板１５の幅広部１５ａには、ベース座板１５を軽量化するための開口部１７が、クッション材１６によって閉塞されるようにして形成されている。
【００２５】
ベース座板１５は、折り畳んで座部材収容部１４内に収容されるように、後脚３の厚さと同じ厚さに形成されている。図６及び図７に示すように、ベース座板１５の上端は、座部材収容部１４の上部の下面に蝶番１８により枢着され、ベース座板１５は、座部材収容部１４内において蝶番１８を支点として垂下する垂下状態から、ほぼ水平をなす使用状態まで前上方に回動しうるようになっている。図１に示すように、座部材４が垂下状態にあるとき、その下端と座部材収容部１４の下部の上面との間には手掛け用の隙間１９が形成され、この隙間１９に指を挿入して座部材４を前上方に回動させることができる。
【００２６】
図１に示すように、ベース座板１５の幅広部１５ａの上端部(使用状態では後端部)の左右両側部には、クッション材１６よりも上方に露出する嵌合部１５ｂ、１５ｂが形成され、この嵌合部１５ｂ、１５ｂは、前脚２と後脚３を開脚するとともに、座部材４を前上方に回動させて使用状態としたとき、内向支持部９、９の保持溝１０、１０内に前方から嵌合して保持されるようになっている(図４、図１０参照)。
【００２７】
左右の嵌合部１５ｂ、１５ｂが保持溝１０、１０に嵌合された際、左右の内向支持部９、９と対向する前方(折り畳み状態では下方)にはクッション材１６の周縁部が位置し、この周縁部が内向支持部９の前面に当接して座部材４の後方移動を規制する段差部１６ｂとして機能する(図１０参照)。従って、嵌合部１５ｂ、１５ｂが保持溝１０、１０に嵌合されると、座部材４が最適な使用状態に保持されるとともに、前脚２及び後脚３が必要以上に開脚するのを防止することができる。なお、このような段差部１６ｂは、ベース座板１５の後部側の両側部の上面または下面に直接設けてもよい。
【００２８】
図１及び図８に示すように、クッション材１６の左右両側部には、外側方に延出し、座部材４を折り畳んだ状態において後面が前脚２及び後脚３の前面と当接する延出部１６ｃ、１６ｃが一体的に連設されている。延出部１６ｃ、１６ｃと前脚２及び後脚３との対向面には、座部材４、前脚２及び後脚３を折り畳み状態に保持するためにマグネットキャッチ２０、２０が取り付けられている。マグネットキャッチ２０は、永久磁石と磁性板(いずれも図示略)とからなる公知のものである。
【００２９】
実施例１に係る折り畳み椅子１を図１及び図６に示す折り畳み状態から、図４及び図７に示す使用状態とするには、折り畳まれた前脚２と後脚３を蝶番１１を支点として側面視逆Ｖ字状に開脚するとともに、座部材４を蝶番１８を支点として前上方にほぼ水平位置まで回動させる。この際、後脚３を後方へ開脚するのに伴って、座部材４の上方側が蝶番１８とともに後方に移動させられるため、ベース座板１５の嵌合部１５ｂ、１５ｂを前脚２の内向支持部９、９の保持溝１０、１０に前方から嵌合することができる。
【００３０】
この嵌合時に、クッション材１６の段差部１６ｂ、１６ｂが内向支持部９、９の前面に当接することにより、座部材４の後方への移動が規制され、座部材４が最適な使用状態に保持されるとともに、前脚２及び後脚３が必要以上に開脚するのが防止される。開脚した前脚２及び後脚３を閉じるように折り畳み、座部材４を下方に回動させれば、後脚３が前脚２の後脚収容部５に収容されるとともに、座部材４が後脚３の座部材収容部１４に収容され、前脚２、後脚３及び座部材４は平板状に折り畳まれる。
【００３１】
以上説明したように、実施例１に係る折り畳み椅子１においては、座部材４の上端が、折り畳み状態において垂下するように座部材収容部１４の上部の下面に枢着され、しかも折り畳み状態での座部材４の正面形を、下部側の左右幅が上部側の左右幅よりも大となる形状としてあるので、垂下状態での座部材４の重心は枢着部から離れた下方寄りとなる。従って、座部材４を折り畳み、椅子１をハンガーラック７に吊支して保管したり、壁面等に立て掛けて保管したりする際に、座部材４が自重により使用状態まで回動するおそれはなく、かつ折り畳み状態において上端を支点として前後方向に回動するのも抑えられる。
【００３２】
また、座部材４は、前脚２及び後脚３の前面に当接する延出部１６ｃを有する幅広のクッション材１６を備えているので、座部材４の表面の面積が大となり、快適に着座することができる。しかも、クッション材１６によって座部材４の重量が大となるとともに、折り畳み状態での座部材４の重心位置が枢着部よりも前方となるので、座部材４は枢着部を支点として後方に回動しようとする。従って、例えマグネットキャッチ２０が設けられていなくても、折り畳み状態において延出部１６ｃの後面が前脚２及び後脚３の前面に常に当接するようになり、座部材４が前方へ回動するのが効果的に抑えられる。
【００３３】
さらに、座部材４を垂下した折り畳み状態から前上方に回動させ、座部材４の後部側の両側部を前脚２の内向支持部９により支持して使用状態とするので、安全に使用状態とすることができる。この際、座部材４の嵌合部１５ｂを前脚２の内向支持部９に設けた保持溝１０に嵌合させて使用状態とするので、使用状態において座部材４が跳ね上がるのを防止することができる。
【実施例２】
【００３４】
図１１及び図１２は、実施例２に係る折り畳み椅子を示す。なお、上述した実施例１と異なるのは座部材のみであるので、実施例１と共通する部材には同じ符号を付して、その詳細な説明を省略する。実施例２の座部材２１は、後脚３の座部材収容部１４に収容可能な、実施例１のベース座板１５と同形状のベース座板２２の幅広部２２ａの左右両側部に、後面が前脚２及び後脚３の前面に当接する延出部２２ｂ、２２ｂを一体的に連設した形状とし、クッション材１６は省略してある。なお、実施例２にベース座板２２においては、実施例１においてベース座板１５に設けた開口部１７は省略している。幅広部２２ａの上端部の左右両側部は、内向支持部９の保持溝１０に嵌合可能な嵌合部２２ｃ、２２ｃとされている。実施例２に係る折り畳み椅子１においても、垂下状態での座部材２１の重心は枢着部から離れた下方寄りとなるとともに、左右の延出部２２ｂの後面が前脚２及び後脚３の前面に当接するので、実施例１の椅子と同様の作用効果を奏することができる。
【００３５】
以上、本発明の折り畳み椅子を実施例に基づいて説明したが、具体的な構成はこの実施例に限定されるものではなく、発明の要旨を逸脱しない範囲内で、次のような種々の変形や変更があっても、本発明に含まれる。
【００３６】
例えば、前記実施例１では座部材４のクッション材１６に延出部１６ｃを、実施例２では座部材２１に延出部２２ｂをそれぞれ形成しているが、それらの延出部１６ｃ、２２ｂは省略して実施することもある。
【００３７】
また、前記実施例では、座部材４、２１の後部側の左右両側部の嵌合部１５ｂ、２２ｃを、前脚２の内向支持部９に設けた保持溝１０に嵌合して座部材４、２１を使用状態に保持するようにしているが、保持溝１０を省略し、座部材４、２１の後部側の左右両側部下面を内向支持部９の上面により支持するようにしてもよい。
【００３８】
また、前記実施例では、後脚３は蝶番１１で後脚収容部５の上部の下面に枢着される例について説明したが枢着方法は問わない、例えば後脚３は左右方向に延びる軸部によって後脚収容部５に枢着されるものであってもよい。また、座部材４は上端が座部材収容部１４の上部の下面に枢着される例について説明したが枢着方法は問わない、例えば座部材４は左右方向に延びる軸部によって座部材収容部１４に枢着されるものであってもよい。
【符号の説明】
【００３９】
１  折り畳み椅子
２  前脚
３  後脚
４  座部材
５  後脚収容部
６  吊支用フック
７  ハンガーラック
８  水平ポール
９  内向支持部
１０  保持溝
１１  蝶番
１２  開口部
１３  隙間
１４  座部材収容部
１５  ベース座板
１５ａ  幅広部
１５ｂ  嵌合部
１６  クッション材
１６ａ  基板
１６ｂ  段差部
１６ｃ  延出部
１７  開口部
１８  蝶番
１９  隙間
２０  マグネットキャッチ
２１  座部材
２２  ベース座板
２２ａ  幅広部
２２ｂ  延出部
２２ｃ  嵌合部
【図１】
2020168131.tif 000003
【図２】
2020168131.tif 000004
【図３】
2020168131.tif 000005
【図４】
2020168131.tif 000006
【図５】
2020168131.tif 000007
【図６】
2020168131.tif 000008
【図７】
2020168131.tif 000009
【図８】
2020168131.tif 000010
【図９】
2020168131.tif 000011
【図１０】
2020168131.tif 000012
【図１１】
2020168131.tif 000013
【図１２】
2020168131.tif 000014